(57)【要約】【課題】ユーザや情報源に特別の負担を掛けることなく情報源からユーザに適した情報の選別が可能なパケット信号取次装置、方法、プログラム、情報選別システムおよび方法を得ること。【解決手段】特定のユーザの取り扱うユーザ端末から情報取得要求パケット信号をステップ５１で受信し、ステップ５２で特定のユーザの登録時に情報の選別に有効とされる情報選別用ユーザ情報を編集して蓄積する。ステップ５３では情報取得要求パケット信号を受信したときユーザ端末の情報選別用ユーザ情報をこれに組み込み、ステップ５４でこのパケット信号を情報源の宛先に送信する。情報源ではステップ５５で情報選別用ユーザ情報を解析し、ステップ５６で解析結果に基づいて情報源に格納されたデータを選別し、ステップ５７で選別したデータをパケットの送信元に送信する。【選択図】図５
2010130611.tif 000002
【特許請求の範囲】
【請求項１】
予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信手段と、
前記特定のユーザの登録時にこれらのユーザの取り扱うユーザ端末から取得する登録のためのユーザ情報から前記情報の選別に有効とされる情報選別用ユーザ情報を編集して蓄積する情報選別用ユーザ情報格納手段と、
前記パケット信号受信手段が前記特定のユーザの取り扱うユーザ端末から前記情報取得要求パケット信号を受信したときこのパケット信号に前記情報選別用ユーザ情報格納手段から蓄積したユーザ端末の情報選別用ユーザ情報を読み出して組み込むユーザ情報組み込み手段と、
このユーザ情報組み込み手段によって前記情報選別用ユーザ情報を組み込んだ後の前記情報取得要求パケット信号を前記情報源の宛先に送信するパケット信号送信手段
とを具備することを特徴とするパケット信号取次装置。
【請求項２】
前記パケット信号はインターネットプロトコルがＩＰｖ６であるＩＰｖ６パケットであることを特徴とする請求項１記載のパケット信号取次装置。
【請求項３】
前記情報選別用ユーザ情報は、ＩＰｖ６拡張ヘッダとして前記ＩＰｖ６パケットに組み込まれることを特徴とする請求項２記載のパケット信号取次装置。
【請求項４】
前記ユーザ端末から取得する登録のためのユーザ情報は、インターネットサービスプロバイダが前記ユーザ端末をインターネットに接続するための契約のために取得するユーザ情報であることを特徴とする請求項１記載のパケット信号取次装置。
【請求項５】
前記ユーザ端末から取得する登録のためのユーザ情報は、特定範囲のユーザ端末を特定の通信ネットワークに接続するためにこれらのユーザ端末を使用するユーザから取得するユーザ情報であることを特徴とする請求項１記載のパケット信号取次装置。
【請求項６】
予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップと、
前記特定のユーザの登録時にこれらのユーザの取り扱うユーザ端末から取得する登録のためのユーザ情報から前記情報の選別に有効とされる情報選別用ユーザ情報を編集して蓄積する情報選別用ユーザ情報格納ステップと、
前記パケット信号受信ステップで前記特定のユーザの取り扱うユーザ端末から前記情報取得要求パケット信号を受信したときこのパケット信号に前記情報選別用ユーザ情報格納ステップで蓄積したユーザ端末の情報選別用ユーザ情報を読み出して組み込むユーザ情報組み込みステップと、
このユーザ情報組み込みステップによって前記情報選別用ユーザ情報を組み込んだ後の前記情報取得要求パケット信号を前記情報源の宛先に送信するパケット信号送信ステップ
とを具備することを特徴とするパケット信号取次方法。
【請求項７】
前記情報取得要求パケット信号は、ＩＰｖ６パケットであり、前記情報選別用ユーザ情報をＩＰｖ６拡張ヘッダとしてこのパケットに組み込んでいることを特徴とする請求項６記載のパケット信号取次方法。
【請求項８】
コンピュータに、
予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信処理と、
前記特定のユーザの登録時にこれらのユーザの取り扱うユーザ端末から取得する登録のためのユーザ情報から前記情報の選別に有効とされる情報選別用ユーザ情報を編集して蓄積する情報選別用ユーザ情報格納処理と、
前記パケット信号受信処理で前記特定のユーザの取り扱うユーザ端末から前記情報取得要求パケット信号を受信したときこのパケット信号に前記情報選別用ユーザ情報格納処理で蓄積した前記ユーザ端末の情報選別用ユーザ情報を読み出して組み込むユーザ情報組み込み処理と、
このユーザ情報組み込み処理によって前記情報選別用ユーザ情報を組み込んだ後の前記情報取得要求パケット信号を前記情報源の宛先に送信するパケット信号送信処理
とを実行させることを特徴とするパケット信号取次プログラム。
【請求項９】
ユーザ端末と、
通信ネットワーク上にその宛先ごとに配置された情報源と、
前記ユーザ端末のうちで予め登録した特定のユーザの取り扱うユーザ端末からこれらのユーザが所望する前記情報源の宛先を特定して情報の取得を要求するパケット信号としての情報取得要求パケット信号をその送信の取り次ぎのために受信するパケット信号受信手段と、前記特定のユーザの登録時にこれらのユーザの取り扱うユーザ端末から取得する登録のためのユーザ情報から前記情報の選別に有効とされる情報選別用ユーザ情報を編集して蓄積する情報選別用ユーザ情報格納手段と、前記パケット信号受信手段が前記特定のユーザの取り扱うユーザ端末から前記情報取得要求パケット信号を受信したときこのパケット信号に前記情報選別用ユーザ情報格納手段の蓄積した前記ユーザ端末の情報選別用ユーザ情報を読み出して組み込むユーザ情報組み込み手段と、このユーザ情報組み込み手段によって前記情報選別用ユーザ情報を組み込んだ後の前記情報取得要求パケット信号を前記情報源の宛先に送信するパケット信号送信手段とを備えたパケット信号取次装置
とを具備することを特徴とする情報選別システム。
【請求項１０】
前記パケット信号はインターネットプロトコルがＩＰｖ６であるＩＰｖ６パケットであることを特徴とする請求項９記載の情報選別システム。
【請求項１１】
前記情報選別用ユーザ情報は、ＩＰｖ６拡張ヘッダとして前記ＩＰｖ６パケットに組み込まれることを特徴とする請求項１０記載の情報選別システム。
【請求項１２】
前記情報源は、各種のデータを格納したデータ格納部と、前記パケット信号取次装置から受信したパケット信号に組み込まれたＩＰｖ６拡張ヘッダを解析するＩＰｖ６拡張ヘッダ解析手段と、このＩＰｖ６拡張ヘッダ解析手段の解析結果に応じて前記データ格納部に格納されたデータを選別するデータ選別手段と、このデータ選別手段で選別したデータを前記受信したパケットの送信元に送信するデータ送信手段とを具備することを特徴とする請求項１１記載の情報選別システム。
【請求項１３】
前記データ選別手段は、レイヤ３のルータ等の選別手段であることを特徴とする請求項１２記載の情報選別システム。
【請求項１４】
予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップと、
前記特定のユーザの登録時にこれらのユーザの取り扱うユーザ端末から取得する登録のためのユーザ情報から前記情報の選別に有効とされる情報選別用ユーザ情報を編集して蓄積する情報選別用ユーザ情報格納ステップと、
前記パケット信号受信ステップで前記特定のユーザの取り扱うユーザ端末から前記情報取得要求パケット信号を受信したときこのパケット信号に前記情報選別用ユーザ情報格納ステップで蓄積した前記ユーザ端末の情報選別用ユーザ情報を読み出して組み込むユーザ情報組み込みステップと、
このユーザ情報組み込みステップによって前記情報選別用ユーザ情報を組み込んだ後の前記情報取得要求パケット信号を前記情報源の宛先に送信するパケット信号送信ステップと、
このパケット信号送信ステップで送信されたパケット信号を受信した前記情報源が前記情報選別用ユーザ情報を解析する情報選別用ユーザ情報解析ステップと、
この情報選別用ユーザ情報解析ステップの解析結果に基づいて前記情報源に格納されたデータを選別するデータ選別ステップと、
このデータ選別ステップで選別したデータを前記受信したパケットの送信元に送信するデータ送信ステップ
とを具備することを特徴とする情報選別方法。
【請求項１５】
前記情報取得要求パケット信号は、ＩＰｖ６パケットであり、前記情報選別用ユーザ情報をＩＰｖ６拡張ヘッダとしてこのパケットに組み込んでおり、前記情報選別用ユーザ情報解析ステップでは前記ＩＰｖ６拡張ヘッダから前記情報選別用ユーザ情報を取り出し、前記データ選別ステップでは前記情報源に格納されたデータをこの情報選別用ユーザ情報を用いて選別することを特徴とする請求項１４記載の情報選別方法。
【発明の詳細な説明】
【技術分野】
【０００１】
本発明は、たとえばインターネットのコンテンツサーバが提供するコンテンツのように、ユーザが取得しようとする情報についてその選別を行わせるパケット信号取次装置、パケット信号取次方法、パケット信号取次プログラム、情報選別システムおよび情報選別方法に関する。
【背景技術】
【０００２】
インターネットのみならず、各種の通信ネットワーク上にはコンテンツサーバ等の各種の情報源が接続されており、ユーザはコンテンツ情報等の情報にアクセスすることができる。これらのコンテンツ情報等の情報には、サービスや広告も含まれている場合もある。
【０００３】
たとえばインターネットについて例を挙げると、ユーザはパーソナルコンピュータや携帯電話機等の情報処理装置を使用してウェブ上の各種の情報源にアクセスすることができる。ところが、これらの情報源の中には、未成年ユーザにとって有害なコンテンツ情報が含まれている場合があり、未成年者が不用意にアクセスするとこれら有害なコンテンツ情報が未成年者の情報処理装置に送られて閲覧される危険性がある。また、男性ユーザにとって不必要な女性専用のバナー広告がホームページに掲載されている場合もあり、これを間違って情報処理装置でクリックすると、男性ユーザは不要な情報を取得することで経済的あるいは時間的な無駄を発生させることになる。
【０００４】
そこで、たとえばインターネットに接続するためにユーザが使用するインターネットサービスプロバイダが、ユーザにアンケートを行ったり、ユーザに対して自己申告を行わせることで、コンテンツへのアクセスを制限するための情報を取得したり、複数のコンテンツが取得された場合のユーザに提示する情報の優劣を定めることが行われていた。ところが、ユーザに対してアンケート等の手法で資料を提出させると、提出しないユーザや十分な回答を行わないユーザが存在することになって、コンテンツの制限を効果的に行うことが困難であるという問題があった。更に、ユーザによってはアンケートの内容や自己申告の内容が正しくない場合も多く、信頼性の高い情報の取得が困難であった。
【０００５】
そこで、身分証明書のコピーの提示やインターネットサービスプロバイダ自体がユーザ用のクレジットカードの作成を行うことも考えられてはいるが、会員に手間を掛けたり、クレジットカードの審査に対する不安感や不要なクレジットカードの発行に対するユーザ側の抵抗感にも配慮する必要があり、実現は困難である。
【０００６】
そこで、コンテンツ配信サーバがユーザに生年月日、性別等を含む各種ユーザ情報を登録させておき、このユーザ情報に適するコンテンツ情報を内部のコンテンツ情報から検索してユーザの画面に表示することが本発明の関連技術として提案されている（たとえば特許文献１、特許文献２参照）。
【特許文献１】特開２００２−２０７７６７号公報（第０００６段落、第００２４段落、図２）
【特許文献２】特開２００５−３３２０４８号公報（第０００６段落、第００２４段落、図２）
【発明の開示】
【発明が解決しようとする課題】
【０００７】
しかしながら、本発明の関連技術は、コンテンツを管理しているコンテンツ提供側とユーザ端末の関係におけるコンテンツの検索の大まかな前提条件を定めたものであり、ユーザとコンテンツ提供者あるいは情報源は１対１の関係にある。このため、この関連技術を採用するとコンテンツ提供者あるいは情報源は、個々のユーザの情報をいちいち登録する必要があり、ユーザも多くのコンテンツ提供者あるいは情報源から情報を取得する可能性がある場合には、これらすべてとの間でユーザ情報を登録しておく必要がある。したがって、本発明の関連技術は、コンテンツ提供者あるいは情報源が多数存在したり、あるいは不特定であるような場合には実現が困難であった。
【０００８】
そこで本発明の目的は、ユーザが情報源から情報を取得する際にユーザやこれらの情報源に特別の負担を掛けることなくユーザに適した情報の選別が可能なパケット信号取次装置、パケット信号取次方法、パケット信号取次プログラム、情報選別システムおよび情報選別方法を提供することにある。
【課題を解決するための手段】
【０００９】
本発明では、（イ）予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信手段と、（ロ）前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納手段と、（ハ）前記したパケット信号受信手段が前記した特定のユーザの取り扱うユーザ端末から前記した情報取得要求パケット信号を受信したときこのパケット信号に前記した情報選別用ユーザ情報格納手段から蓄積したユーザ端末の情報選別用ユーザ情報を読み出して組み込むユーザ情報組み込み手段と、（ニ）このユーザ情報組み込み手段によって前記した情報選別用ユーザ情報を組み込んだ後の前記した情報取得要求パケット信号を前記した情報源の宛先に送信するパケット信号送信手段とをパケット信号取次装置が具備する。
【００１０】
また、本発明では、（イ）予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップと、（ロ）前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納ステップと、（ハ）前記したパケット信号受信ステップで前記した特定のユーザの取り扱うユーザ端末から前記した情報取得要求パケット信号を受信したときこのパケット信号に前記した情報選別用ユーザ情報格納ステップで蓄積したユーザ端末の情報選別用ユーザ情報を読み出して組み込むユーザ情報組み込みステップと、（ニ）このユーザ情報組み込みステップによって前記した情報選別用ユーザ情報を組み込んだ後の前記した情報取得要求パケット信号を前記した情報源の宛先に送信するパケット信号送信ステップとをパケット信号取次方法が具備する。
【００１１】
更に本発明では、コンピュータに、パケット信号取次プログラムとして、（イ）予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信処理と、（ロ）前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納処理と、（ハ）前記したパケット信号受信処理で前記した特定のユーザの取り扱うユーザ端末から前記した情報取得要求パケット信号を受信したときこのパケット信号に前記した情報選別用ユーザ情報格納処理で蓄積したユーザ端末の情報選別用ユーザ情報を読み出して組み込むユーザ情報組み込み処理と、（ニ）このユーザ情報組み込み処理によって前記した情報選別用ユーザ情報を組み込んだ後の前記した情報取得要求パケット信号を前記した情報源の宛先に送信するパケット信号送信処理とを実行させる。
【００１２】
また、本発明では、（イ）ユーザ端末と、（ロ）通信ネットワーク上にその宛先ごとに配置された情報源と、（ハ）前記したユーザ端末のうちで予め登録した特定のユーザの取り扱うユーザ端末からこれらのユーザが所望する前記した情報源の宛先を特定して情報の取得を要求するパケット信号としての情報取得要求パケット信号をその送信の取り次ぎのために受信するパケット信号受信手段と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納手段と、前記したパケット信号受信手段が前記した特定のユーザの取り扱うユーザ端末から前記した情報取得要求パケット信号を受信したときこのパケット信号に前記した情報選別用ユーザ情報格納手段の蓄積した前記ユーザ端末の情報選別用ユーザ情報を読み出して組み込むユーザ情報組み込み手段と、このユーザ情報組み込み手段によって前記した情報選別用ユーザ情報を組み込んだ後の前記した情報取得要求パケット信号を前記した情報源の宛先に送信するパケット信号送信手段とを備えたパケット信号取次装置とを情報選別システムが具備する。
【００１３】
更に本発明では、（イ）予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップと、（ロ）前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納ステップと、（ハ）前記したパケット信号受信ステップで前記した特定のユーザの取り扱うユーザ端末から前記した情報取得要求パケット信号を受信したときこのパケット信号に前記した情報選別用ユーザ情報格納ステップで蓄積した前記ユーザ端末の情報選別用ユーザ情報を読み出して組み込むユーザ情報組み込みステップと、（ニ）このユーザ情報組み込みステップによって前記した情報選別用ユーザ情報を組み込んだ後の前記した情報取得要求パケット信号を前記した情報源の宛先に送信するパケット信号送信ステップと、（ホ）このパケット信号送信ステップで送信されたパケット信号を受信した前記した情報源が前記した情報選別用ユーザ情報を解析する情報選別用ユーザ情報解析ステップと、（へ）この情報選別用ユーザ情報解析ステップの解析結果に基づいて前記した情報源に格納されたデータを選別するデータ選別ステップと、（ト）このデータ選別ステップで選別したデータを前記した受信したパケットの送信元に送信するデータ送信ステップとを情報選別方法が具備する。
【発明の効果】
【００１４】
以上説明したように本発明によれば、特定のユーザの登録時にこれらのユーザの取り扱うユーザ端末から取得する登録のためのユーザ情報を編集したものを用意し、これを情報の選別に使用するので、無駄のない情報選別処理が可能である。また、パケット信号取次装置がユーザ端末の情報選別用ユーザ情報をパケット信号に組み込んで情報源に送信する取り次ぎの役割を果たすので、ユーザは個々の情報源に情報選別用ユーザ情報を送信する必要がない。更に、このような取り次ぎによって情報選別用ユーザ情報の信頼性を確保することができるという効果がある。
【発明を実施するための最良の形態】
【００１５】
図１は、本発明のパケット信号取次装置のクレーム対応図を示したものである。本発明のパケット信号取次装置１０は、予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信手段１１と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納手段１２と、パケット信号受信手段１１が前記した特定のユーザの取り扱うユーザ端末から前記した情報取得要求パケット信号を受信したときこのパケット信号に情報選別用ユーザ情報格納手段１２から蓄積したユーザ端末の情報選別用ユーザ情報を読み出して組み込むユーザ情報組み込み手段１３と、このユーザ情報組み込み手段１３によって前記した情報選別用ユーザ情報を組み込んだ後の前記した情報取得要求パケット信号を前記した情報源の宛先に送信するパケット信号送信手段１４とを備えている。
【００１６】
図２は、本発明のパケット信号取次方法のクレーム対応図を示したものである。本発明のパケット信号取次方法２０は、予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップ２１と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納ステップ２２と、パケット信号受信ステップ２１で前記した特定のユーザの取り扱うユーザ端末から前記した情報取得要求パケット信号を受信したときこのパケット信号に情報選別用ユーザ情報格納ステップ２２で蓄積したユーザ端末の情報選別用ユーザ情報を読み出して組み込むユーザ情報組み込みステップ２３と、このユーザ情報組み込みステップ２３によって前記した情報選別用ユーザ情報を組み込んだ後の前記した情報取得要求パケット信号を前記した情報源の宛先に送信するパケット信号送信ステップ２４とを備えている。
【００１７】
図３は、本発明のパケット信号取次プログラムのクレーム対応図を示したものである。本発明のパケット信号取次プログラム３０は、コンピュータに、予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信処理３１と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納処理３２と、パケット信号受信処理３１で前記した特定のユーザの取り扱うユーザ端末から前記した情報取得要求パケット信号を受信したときこのパケット信号に情報選別用ユーザ情報格納処理３２で蓄積した前記したユーザ端末の情報選別用ユーザ情報を読み出して組み込むユーザ情報組み込み処理３３と、このユーザ情報組み込み処理３３によって前記した情報選別用ユーザ情報を組み込んだ後の前記した情報取得要求パケット信号を前記した情報源の宛先に送信するパケット信号送信処理３４とを実行させる。
【００１８】
図４は、本発明の情報選別システムのクレーム対応図を示したものである。本発明の情報選別システム４０は、ユーザ端末４１と、通信ネットワーク上にその宛先ごとに配置された情報源４２と、ユーザ端末４１のうちで予め登録した特定のユーザの取り扱うユーザ端末からこれらのユーザが所望する情報源４２の宛先を特定して情報の取得を要求するパケット信号としての情報取得要求パケット信号をその送信の取り次ぎのために受信するパケット信号受信手段と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納手段と、前記したパケット信号受信手段が前記した特定のユーザの取り扱うユーザ端末から前記した情報取得要求パケット信号を受信したときこのパケット信号に前記した情報選別用ユーザ情報格納手段の蓄積した前記したユーザ端末の情報選別用ユーザ情報を読み出して組み込むユーザ情報組み込み手段と、このユーザ情報組み込み手段によって前記した情報選別用ユーザ情報を組み込んだ後の前記した情報取得要求パケット信号を前記した情報源の宛先に送信するパケット信号送信手段とを備えたパケット信号取次装置４３とを備えている。
【００１９】
図５は、本発明の情報選別方法のクレーム対応図を示したものである。本発明の情報選別方法５０は、予め登録した特定のユーザの取り扱うユーザ端末からこれらのユーザが所望する情報源の宛先を特定して情報の取得を要求するパケット信号としての情報取得要求パケット信号をその送信の取り次ぎのために受信するパケット信号受信ステップ５１と、前記した特定のユーザの登録時にこれらのユーザの取り扱うユーザ端末から取得する登録のためのユーザ情報から前記した情報の選別に有効とされる情報選別用ユーザ情報を編集して蓄積する情報選別用ユーザ情報格納ステップ５２と、パケット信号受信ステップ５１で前記した特定のユーザの取り扱うユーザ端末から前記した情報取得要求パケット信号を受信したときこのパケット信号に情報選別用ユーザ情報格納ステップ５２で蓄積した前記したユーザ端末の情報選別用ユーザ情報を読み出して組み込むユーザ情報組み込みステップ５３と、このユーザ情報組み込みステップ５３によって前記した情報選別用ユーザ情報を組み込んだ後の前記した情報取得要求パケット信号を前記した情報源の宛先に送信するパケット信号送信ステップと５４、このパケット信号送信ステップ５４で送信されたパケット信号を受信した前記した情報源が前記した情報選別用ユーザ情報を解析する情報選別用ユーザ情報解析ステップ５５と、この情報選別用ユーザ情報解析ステップ５５の解析結果に基づいて前記した情報源に格納されたデータを選別するデータ選別ステップ５６と、このデータ選別ステップ５６で選別したデータを前記受信したパケットの送信元に送信するデータ送信ステップ５７とを備えている。
【００２０】
＜発明の第１の実施の形態＞
【００２１】
次に本発明の第１の実施の形態を説明する。
【００２２】
図６は、本発明の実施の形態によるコンテンツ選別システムの構成の概要を表わしたものである。本実施の形態のコンテンツ選別システム１００は、ユーザの使用するユーザ端末１０１と、インターネット接続業者としてのインターネットサービスプロバイダ（Internet Services Provider：ＩＳＰ）の管理するインターネットサービスプロバイダ装置１０２と、インターネット上で各種の情報サービスを行うプロバイダとしてのコンテンツサービスプロバイダ（Contents Service Provider：ＣＳＰ）の管理するコンテンツサービスプロバイダ装置１０３から構成されている。本実施の形態のコンテンツ選別システム１００では、コンテンツサービスプロバイダ装置１０３からユーザに最適なコンテンツ情報がユーザ端末１０１に供給されるようになっている。
【００２３】
このため、本実施の形態のコンテンツ選別システム１００では、ユーザのＩＰｖ６（Internet Protocol Version 6）パケットに年齢や性別等のユーザ情報を定義したＩＰｖ６拡張ヘッダを付加してコンテンツサービスプロバイダ装置１０３に送信するようにしている。コンテンツサービスプロバイダ装置１０３は、インターネットサービスプロバイダ装置１０２を経由して送られてくるＩＰｖ６パケットのＩＰｖ６拡張ヘッダを解析して、そのユーザに最適なコンテンツ情報（サービスや広告など）を提供するようにしている。
【００２４】
このようなコンテンツ選別システム１００では、ＩＰｖ６拡張ヘッダをユーザ単位に作成しておく必要がある。このための処理をまず説明する。ユーザ端末１０１は、新たにインターネットサービスプロバイダと契約を行う際にユーザＩＤ（identifier）とパスワードをインターネットサービスプロバイダ装置１０２から提供される。また、ユーザは、年齢、性別、職種といったようなユーザ情報をインターネットサービスプロバイダ装置１０２に提示する。インターネットサービスプロバイダ装置１０２は、ユーザ契約情報テーブル１１１内に、これらのユーザ情報を格納すると共に、ユーザアクセステーブル１１２内にユーザＩＤとパスワードならびにそのユーザが使用するＩＰｖ６アドレスを格納するようになっている。
【００２５】
インターネットの利用を行うとき、ユーザはインターネットサービスプロバイダ装置１０２に接続するためにログイン専用ツール１２１を使用して、ユーザＩＤとパスワードを入力し、パケット送信部１２２からこれらをインターネットサービスプロバイダ装置１０２のパケット受信部１１３に送って、ログインする。このときのユーザＩＤとパスワードは、ユーザ契約時にインターネットサービスプロバイダ装置１０２から提示されたものである。
【００２６】
インターネットサービスプロバイダ装置１０２は、ログインしたユーザが使用しているＩＰｖ６アドレスをユーザＩＤと共にユーザアクセステーブル１１２に記録する。インターネットサービスプロバイダ装置１０２は、次にＩＰｖ６拡張ヘッダ作成部１１４を使用して、年齢、性別、職種といったユーザ情報と、ユーザアクセステーブル１１２に記載されたユーザＩＤとＩＰｖ６アドレスを基にして、ユーザ情報を定義したＩＰｖ６拡張ヘッダを作成する。ＩＰｖ６拡張ヘッダは、ＩＰｖ６拡張ヘッダテーブル１１５に格納される。このようにして、ユーザ端末１０１がコンテンツサービスプロバイダ装置１０３を利用する際のインターネットサービスプロバイダ装置１０２側における準備が終了する。
【００２７】
この後、ユーザ端末１０１を利用してユーザがコンテンツサービスプロバイダ装置１０３からコンテンツ情報を取得する場合を説明する。ユーザのデータ要求１２３がユーザ端末１０１のパケット送信部１２２からコンテンツサービスプロバイダ装置１０３を宛先としてＩＰｖ６パケットとして送出される。インターネットサービスプロバイダ装置１０２内ではパケット受信部１１３がこのＩＰｖ６パケットを受信する。
【００２８】
パケット受信部１１３は、受信したＩＰｖ６パケットをＩＰｖ６拡張ヘッダ追加部１１６へ送る。ＩＰｖ６拡張ヘッダ追加部１１６は、受信したＩＰｖ６パケットの送信元ＩＰｖ６アドレスを用いて、ＩＰｖ６拡張ヘッダテーブル１１５内のＩＰｖ６アドレスを照合する。ＩＰｖ６拡張ヘッダ追加部１１６は、これにより、送信元ＩＰｖ６アドレスに対応するＩＰｖ６拡張ヘッダ情報を取得する。ＩＰｖ６拡張ヘッダ追加部１１６は、受信したＩＰｖ６パケットにこのＩＰｖ６拡張ヘッダ情報を追加する。ＩＰｖ６拡張ヘッダ情報が追加されたＩＰｖ６パケットはパケット送信部１１７によってコンテンツサービスプロバイダ装置１０３に向けて送信される。
【００２９】
コンテンツサービスプロバイダ装置１０３では、パケット受信部１３１がこのＩＰｖ６パケットを受信し、ＩＰｖ６拡張ヘッダ解析部１３２に送る。ＩＰｖ６拡張ヘッダ解析部１３２は、送られてきたＩＰｖ６パケットのＩＰｖ６拡張ヘッダを解析して、アクセスしてきたユーザのユーザ情報を取得する。これにより、ＩＰｖ６拡張ヘッダ解析部１３２はデータ格納部１３３から、ユーザの年齢、性別、職種といった情報に適合する形でコンテンツ情報を選別し、パケット送信部１３４に送出する。
【００３０】
このコンテンツ情報の選別は、ユーザが要求したサービスに対する情報の提供だけでなく、付帯する広告についても適用される。たとえば、コンテンツ情報の提供を要求したユーザがユーザ情報から未成年であることが判った場合、未成年に有害なコンテンツ情報を除外し、未成年者に適したコンテンツ情報として提供することになる。
【００３１】
パケット送信部１３４から送出されるＩＰｖ６パケットは、インターネットサービスプロバイダ装置１０２内のパケット受信部１１８で受信され、パケット送信部１１９からユーザ端末１０１に送信される。ユーザ端末１０１では、これをパケット受信部１２４で受信し、データ展開部１２５に送出する。データ展開部１２５はコンテンツサービスプロバイダ装置１０３から送られてきたコンテンツ情報を展開することになる。
【００３２】
このように本発明の実施の形態のコンテンツ選別システム１００によれば、ユーザ情報の登録やその後の変更をインターネットサービスプロバイダ装置１０２がユーザとの契約によって行う。コンテンツサービスプロバイダ装置１０３は、このようにして作成あるいは変更されたユーザ情報を単に利用する側であり、このユーザ情報を変更することができない。また、ユーザ自身もユーザ情報を直接作成したり、追加することができない。したがって、本実施の形態では、ユーザになりすましてユーザ情報が生成されたり、ユーザ情報が第三者によって変更される恐れが生じない。
【実施例１】
【００３３】
次に、本発明の第１の実施例を説明する。
【００３４】
図７は、本発明の第１の実施例のコンテンツ選別システムの構成を表わしたものである。このコンテンツ選別システム２００では、ユーザ宅２０１に敷設された回線２０２が所定のインターネットサービスプロバイダ装置２０３を介してインターネット２０４に接続されるようになっている。インターネット２０４には一例としてコンテンツ情報を提供するためのコンテンツサービスプロバイダ装置２０５が接続されている。
【００３５】
ユーザ宅２０１に引き込まれた回線２０２は、図示しない回線終端装置およびルータを介して家庭内ＬＡＮ（Local Area Network）を構成する第１のユーザ端末２１１と第２のユーザ端末２１２に接続されている。ここで、第１のユーザ端末２１１はユーザＡが個人的に使用するパーソナルコンピュータ等の端末であり、第２のユーザ端末２１２はユーザＢが個人的に使用するパーソナルコンピュータ等の端末である。これら第１および第２のユーザ端末２１１、２１２は、それぞれ図示しないＣＰＵ（Central Processing Unit）と、ＣＰＵの実行する制御プログラムを格納した同じく図示しないメモリを備えた情報処理装置である。
【００３６】
これら第１および第２のユーザ端末２１１、２１２は、ログイン専用ツール２１３、２１４を前記した制御プログラムの一部として組み込んでいる。したがって、ユーザＡはログイン専用ツール２１３を用いてインターネットサービスプロバイダ装置２０３から提供された専用のログイン情報を第１のユーザ端末２１１に入力することで、インターネット２０４に接続することができる。ユーザＢもログイン専用ツール２１４を用いてインターネットサービスプロバイダ装置２０３から提供された専用のログイン情報を第２のユーザ端末２１２に入力することで、インターネット２０４に接続することができる。
【００３７】
インターネットサービスプロバイダ装置２０３は、第１あるいは第２のユーザ端末２１１、２１２と同様に、図示しないＣＰＵと、このＣＰＵの実行する制御プログラムを格納した同じく図示しないメモリとを備えた情報処理装置である。インターネットサービスプロバイダ装置２０３は、図示しないパケット送受信の制御のための通信制御部等の回路部分の他に、ユーザのアクセスに使用するユーザアクセステーブル２２１、ユーザ情報を格納したユーザ契約情報テーブル２２２、ＩＰｖ６拡張ヘッダを作成するＩＰｖ６拡張ヘッダ作成部２２３、ＩＰｖ６アドレスとユーザ情報を対応付けたＩＰｖ６拡張ヘッダテーブル２２４およびＩＰｖ６拡張ヘッダをパケットに追加するＩＰｖ６拡張ヘッダ追加部２２５を備えている。
【００３８】
また、コンテンツサービスプロバイダ装置２０５も、図示しないＣＰＵと、このＣＰＵの実行する制御プログラムを格納した同じく図示しないメモリとを備えた情報処理装置である。コンテンツサービスプロバイダ装置２０５は、図示しないパケット送受信のための通信制御部等の回路部分の他に、ＩＰｖ６拡張ヘッダの解析を行うＩＰｖ６拡張ヘッダ解析部２３１およびコンテンツ情報の格納されたデータ格納部２３２を備えている。
【００３９】
図８は、所定の時点におけるユーザアクセステーブルの記録内容を示したものである。図７に示した第１のユーザ端末２１１からユーザＡが所定の時点でログインし、第２のユーザ端末２１２からユーザＢがこの後の他の時点でログインしたものとする。ユーザアクセステーブル２２１には、これら各ユーザＡ、ＢのＩＰｖ６アドレスが記録される。ここで、一方のユーザＩＤ「１２３４５６」は、ユーザＡのＩＤであるものとし、他方のユーザＩＤ「７８９０１２」は、ユーザＢのＩＤであるものとする。ユーザアクセステーブル２２１には各ユーザＡ、Ｂの現在までのアクセス時間も記録されている。
【００４０】
図９は、第１の実施例におけるユーザ契約情報テーブルの内容を表わしたものである。ユーザ契約情報テーブル２２２には、各ユーザＡ、Ｂがインターネットサービスプロバイダ装置２０３（図７）を管理するインターネットサービスプロバイダと契約を行った際のユーザ契約情報が格納されている。具体的には、各ユーザＡ、ＢのユーザＩＤ、パスワード、生年月日、性別、住所、職種である。生年月日と現在の年月日を比較することで、ユーザＡ、Ｂの年齢を算出することができる。
【００４１】
図１０は、第１の実施例におけるＩＰｖ６拡張ヘッダテーブルの内容を表わしたものである。図７に示したＩＰｖ６拡張ヘッダ作成部２２３は、図８に示したユーザアクセステーブル２２１と図９に示したユーザ契約情報テーブル２２２を用いて、ＩＰｖ６拡張ヘッダテーブル２２４を作成する。すなわち、ユーザアクセステーブル２２１から「ユーザＩＤ」と「ＩＰｖ６アドレス」をユーザごとに取り出し、ユーザ契約情報テーブル２２２から「ユーザＩＤ」の一致するユーザの「性別」および「職種」を「ＩＰｖ６拡張ヘッダ情報」として抽出すると共に、「生年月日」から判明したユーザの年齢を「ＩＰｖ６拡張ヘッダ情報」に追加する。
【００４２】
図１１は、ユーザ端末がコンテンツ情報を取得する際のコンテンツサービスプロバイダ装置へのアクセス処理の様子を表わしたものである。図７と共に説明する。
【００４３】
たとえばユーザＡが第１のユーザ端末２１１を使用してコンテンツサービスプロバイダ装置２０５から所望のコンテンツ情報を取得するものとする。第１のユーザ端末２１１はユーザＡ用データ２４１を組み込んだコンテンツ情報取得のためのＩＰｖ６パケット２４２を作成し、これを第１のユーザ端末２１１の図示しない通信制御部に送って宛先のコンテンツサービスプロバイダ装置２０５への送信を要求する（ステップＳ３０１）。第２のユーザ端末２１２が同様の要求を行う場合には、ユーザＢ用データ２４３を組み込んだコンテンツ情報取得のためのＩＰｖ６パケット２４４を作成して、その送信要求を行うことになる。
【００４４】
第１のユーザ端末２１１の前記した通信制御部は、インターネットサービスプロバイダ装置２０３を介して第１のユーザ端末２１１がインターネットに接続されているかどうかを判別する（ステップＳ３０２）。そして、インターネットに接続されている状態であれば（Ｙ）、そのコンテンツ情報取得のためのＩＰｖ６パケット２４２を送信して（ステップＳ３０３）、コンテンツサービスプロバイダ装置２０５へのアクセス処理を終了する（エンド）。すなわち、この後は、コンテンツサービスプロバイダ装置２０５からコンテンツ情報が送られているのを待機することになる。
【００４５】
一方、ステップＳ３０２で第１のユーザ端末２１１がインターネット２０４に接続されていない場合には（Ｎ）、ログイン専用ツール２１３上にログイン情報を入力して、インターネットサービスプロバイダ装置２０３にログインする（ステップＳ３０４）。第２のユーザ端末２１２がインターネット２０４に接続されていない場合には（Ｎ）、ログイン専用ツール２１４上にログイン情報を入力して、インターネットサービスプロバイダ装置２０３にログインすることになる。ログインが終了すると、第１のユーザ端末２１１はインターネットサービスプロバイダ装置２０３を経由してインターネット２０４に接続する（ステップＳ３０５）。そこで、ステップＳ３０３に進んでコンテンツ情報取得のためのＩＰｖ６パケット２４２を送信して、コンテンツ情報取得のためのアクセスを終了する（エンド）。
【００４６】
図１２は、ユーザ端末のアクセスに基づくインターネットサービスプロバイダ装置のコンテンツサービスプロバイダ装置へのコンテンツ情報要求処理の様子を表わしたものである。図７および図１０と共に説明する。
【００４７】
インターネットサービスプロバイダ装置２０３の図示しない通信制御部は、図１１で説明した第１のユーザ端末２１１からのＩＰｖ６パケット２４２、２４４等のＩＰｖ６パケット（以下、ＩＰｖ６パケット２４２の場合を例にとって説明する。）が受信されるのを待機している（ステップＳ３２１）。ＩＰｖ６パケット２４２が受信されると（Ｙ）、このユーザＡの「ＩＰｖ６拡張ヘッダ情報」をＩＰｖ６拡張ヘッダテーブル２２４に格納済みであるかをチェックする（ステップＳ３２２）。ＩＰｖ６拡張ヘッダテーブル２２４に格納済みでない場合には（Ｎ）、ＩＰｖ６拡張ヘッダ作成部２２３で「ＩＰｖ６拡張ヘッダ情報」を作成する（ステップＳ３２３）。そして、作成した「ＩＰｖ６拡張ヘッダ情報」をＩＰｖ６拡張ヘッダテーブル２２４に格納する（ステップＳ３２４）。この後、ＩＰｖ６拡張ヘッダ追加部２２５が前記した通信制御部からＩＰｖ６パケット２４２を受信する（ステップＳ３２５）。ステップＳ３２２でユーザＡの「ＩＰｖ６拡張ヘッダ情報」をＩＰｖ６拡張ヘッダテーブル２２４に格納済みであると判別していた場合には（Ｙ）、直ちにステップＳ３２５の処理に進むことになる。
【００４８】
ステップＳ３２５の処理が終了したら、次にＩＰｖ６拡張ヘッダ追加部２２５がＩＰｖ６拡張ヘッダテーブル２２４を参照する（ステップＳ３２６）。そして、ＩＰｖ６拡張ヘッダ追加部２２５は、ユーザＡの「ユーザＩＤ」を基にして「ＩＰｖ６拡張ヘッダ情報」をＩＰｖ６パケット２４２に追加する（ステップＳ３２７）。この後、前記した通信制御部はこのユーザＡ用データ２４１にＩＰｖ６拡張ヘッダ情報２５１を追加したＩＰｖ６パケット２５２（図７）をコンテンツサービスプロバイダ装置２０５に送信する（ステップＳ３２８）。ユーザＢがコンテンツ情報を要求した場合、前記した通信制御部はユーザＢ用データ２４３にＩＰｖ６拡張ヘッダ情報２５３を追加したＩＰｖ６パケット２５４（図７）をコンテンツサービスプロバイダ装置２０５に送信することになる。以上でインターネットサービスプロバイダ装置２０３のコンテンツサービスプロバイダ装置２０５へのコンテンツ情報要求処理が終了する（エンド）。ただし、以上の処理でＩＰｖ６拡張ヘッダ情報２５１、２５３は、インターネット２０４内で標準化されているものとする。
【００４９】
図１３は、コンテンツサービスプロバイダ装置によるインターネットサービスプロバイダ装置からのコンテンツ情報取得要求に対する処理の様子を表わしたものである。図７と共に説明する。
【００５０】
コンテンツサービスプロバイダ装置２０５の図示しない通信制御部は、図１２のステップＳ３２８によるユーザＡに係わるＩＰｖ６パケット２５２を受信すると（ステップＳ３４１：Ｙ）、ＩＰｖ６拡張ヘッダ解析部２３１がそのＩＰｖ６拡張ヘッダ情報２５１を解析する（ステップＳ３４２）。ユーザＢに係わるＩＰｖ６パケット２５４を受信した場合には（ステップＳ３４１：Ｙ）、ＩＰｖ６拡張ヘッダ解析部２３１がそのＩＰｖ６拡張ヘッダ情報２５３を解析することになる。
【００５１】
ＩＰｖ６拡張ヘッダ解析部２３１は、ＩＰｖ６拡張ヘッダ情報２５１の解析結果からユーザＡのユーザ情報を取得する（ステップＳ３４３）。そして、このユーザＡのユーザ情報からデータ格納部２３２に格納されているユーザＡの要求しているコンテンツ情報の中から適合するものを選別する（ステップＳ３４４）。ユーザＡのユーザ情報は、図１０のＩＰｖ６拡張ヘッダテーブル２２４における「ＩＰｖ６拡張ヘッダ情報」から４０歳の男性で会社員であることが分かる。そこでこのようなユーザＡに適したコンテンツ情報が選別されることになる。ＩＰｖ６拡張ヘッダ情報２５３が解析された場合には、その「ＩＰｖ６拡張ヘッダ情報」からユーザＢは１６歳の女性で学生であることが分かる。そこでこのようなユーザＢに適したコンテンツ情報が選別されることになる。
【００５２】
そこで、コンテンツサービスプロバイダ装置２０５の前記した通信制御部は、ユーザ宛に選別したコンテンツ情報を送信して（ステップＳ３４５）、処理を終了する（エンド）。図７に示すようにユーザＡが宛先である場合には、ユーザＡ用のコンテンツ情報２６１を組み込んだＩＰｖ６パケット２６２がコンテンツサービスプロバイダ装置２０５経由で第１のユーザ端末２１１に送信されることになる。また、ユーザＢが宛先である場合には、ユーザＢ用のコンテンツ情報２６３を組み込んだＩＰｖ６パケット２６４がコンテンツサービスプロバイダ装置２０５経由で第２のユーザ端末２１２に送信されることになる。
【００５３】
このようにして、ユーザＡおよびユーザＢは、第１のユーザ端末２１１、２１２を用いてコンテンツサービスプロバイダ装置２０５から、それぞれに適合したコンテンツ情報２６１、２６３を取得することができる。
【００５４】
図１４は、図１０で示したＩＰｖ６拡張ヘッダテーブルに対する情報の格納処理を具体的に表わしたものである。図７〜図９と共に説明する。
【００５５】
インターネットサービスプロバイダ装置２０３内でＩＰｖ６拡張ヘッダテーブル２２４に対するテーブル情報の格納要求が発生すると（ステップＳ３６１：Ｙ）、要求の対象となるユーザが既にこのインターネットサービスプロバイダ装置２０３を管理するインターネットサービスプロバイダとインターネット２０４の使用に関して契約を行っているかのチェックが行われる（ステップＳ３６２）。このユーザを仮にユーザＢとして説明する。ユーザＢがまだ契約を行っていない場合（Ｎ）、インターネットサービスプロバイダ装置２０３は、第２のユーザ端末２１２に対して、「ユーザ契約を行い、これによるユーザの契約情報をインターネットサービスプロバイダ装置２０３に通知すること」を要求する（ステップＳ３６３）。このような要求は、たとえばインターネットサービスプロバイダ装置２０３内に予め要求用のメッセージを登録しておいて、このメッセージをユーザＢの第２のユーザ端末２１２に送信して、その表示画面に表示させるようにすればよい。
【００５６】
この要求に対してユーザＢの第２のユーザ端末２１２を使用してオンライン等の手法で契約の処理を行い、契約情報を送ってきたら（ステップＳ３６４：Ｙ）、インターネットサービスプロバイダ装置２０３はユーザ契約情報テーブル２２２にその契約情報を記録する（ステップＳ３６５）。次にインターネットサービスプロバイダ装置２０３は、ユーザＢがログイン専用ツールを使用してインターネットサービスプロバイダ装置２０３にログインしていることを確認する（ステップＳ３６６）。ステップＳ３６２でユーザＢが既にインターネットサービスプロバイダ装置２０３を管理するインターネットサービスプロバイダと契約済みであると判別された場合には（Ｙ）、直ちにステップＳ３６６の処理に進む。
【００５７】
次のステップＳ３６７として前記したログインの確認の際に、インターネットサービスプロバイダ装置２０３はユーザアクセステーブル２２１にユーザＩＤとＩＰｖ６アドレスを記録する（ステップＳ３６７）。そして、ＩＰｖ６拡張ヘッダ作成部２２３でユーザアクセステーブル２２１のユーザＩＤを用いてユーザ契約情報テーブル２２２における同一のユーザＩＤのユーザ契約情報を照合する（ステップＳ３６８）。ユーザＢの場合、照合するユーザＩＤは「７８９０１２」である。このユーザＩＤに対応するユーザ契約情報テーブル２２２の生年月日「１９９２／８／７」、性別「女性」等のユーザ契約情報を用いて、ＩＰｖ６拡張ヘッダ作成部２２３はＩＰｖ６拡張ヘッダ情報を作成する（ステップＳ３６９）。そして、ＩＰｖ６拡張ヘッダテーブル２２４にユーザＩＤ「７８９０１２」とＩＰｖ６アドレス「ＦＤＥ２：ＡＢＣＤ：：２」ならびにステップＳ３６９で作成したＩＰｖ６拡張ヘッダ情報を格納する（ステップＳ３７０）。このようにして、ＩＰｖ６拡張ヘッダテーブル２２４に対するユーザＢに関する情報の格納処理が終了する（エンド）。
【００５８】
最後に図１５に本実施例で使用するＩＰｖ６拡張ヘッダ情報を組み込んだＩＰｖ６パケットの一例を示す。図７に示したＩＰｖ６拡張ヘッダ情報２５１、２５３を組み込んだＩＰｖ６パケット２５２、２５４は、ＩＰｖ６ヘッダ２７１と、これに続くＩＰｖ６拡張ヘッダ２７２と、ＵＤＰ（User Datagram Protocol）またはＴＣＰ（Transmission Control Protocol）ヘッダ２７３と、これに続くアプリケーションデータ２７４で構成されている。ＩＰｖ６拡張ヘッダ２７２には、ＩＰｖ６ヘッダ２７１に続いて拡張ヘッダが存在することを示す「次ヘッダ」欄２８１と、拡張ヘッダ長を示す「拡張ヘッダ長」欄２８２が存在し、その後に「年齢」、「性別」および「職種」を順に表わすユーザ情報記載欄２８３を組み込める構成となっている。したがって、たとえば「年齢」に１０進数で３桁の数字を割り当てて、年齢不詳（不明）「０００」から１００歳を超えるユーザの年齢を指定可能にすると共に、「性別」に１０進数で１桁の数字を割り当てて、「職業」にたとえば１０進数で１桁の数字を割り当てている。
【００５９】
以上説明したように、第１の実施例によれば次のような効果を奏することができる。
【００６０】
まず、第１の実施例では、コンテンツサービスプロバイダ装置２０５が信頼性の高いユーザ情報を得ることができるという第１の効果がある。第１の実施例では、コンテンツサービスプロバイダ装置２０５に提供されるユーザ情報がインターネットサービスプロバイダ装置２０３内で、ＩＰｖ６パケットに追加されるＩＰｖ６拡張ヘッダ内に格納されるようになっているからである。すなわち、第１の実施例では個々のユーザがコンテンツサービスプロバイダ装置２０５に提供するユーザ情報を直接定義している。このため、ユーザ端末の操作者は、ユーザ情報を意図的に詐称することができない。この結果、コンテンツサービスプロバイダ装置２０５に提供されるユーザ情報は精度の高い信頼性のある情報となる。
【００６１】
次に第１の実施例では、ユーザが自己に適したコンテンツ情報を取得することができるという第２の効果がある。第１の実施例では、コンテンツサービスプロバイダ装置２０５が信頼性の高いユーザ情報を基にして、データ格納部２３２に格納したコンテンツの中からユーザに適したものを選別し、ユーザに提供するからである。
【００６２】
また、第１の実施例では、コンテンツサービスプロバイダ装置２０５による収益が期待できるという第３の効果がある。コンテンツサービスプロバイダ装置２０５がユーザに有益なコンテンツ情報を用意するようにすれば、ユーザの数が増大する。また、ユーザに不適切なコンテンツ情報をコンテンツサービスプロバイダ装置２０５が事前に取り除いてユーザに提供することができるので、ユーザの選別作業が不要になり、この点でもユーザの満足度が高くなり、コンテンツサービスプロバイダ装置２０５へのアクセスが増大する。この結果、コンテンツの広告収入等の収益の増加を期待することができる。
【００６３】
更に第１の実施例では、ユーザがコンテンツサービスプロバイダ装置２０５と契約を交わす手間を省くことができるという第４の効果がある。これは、第１の実施例でユーザがインターネットサービスプロバイダ装置２０３との契約を交わしたときに提示したユーザ情報からコンテンツサービスプロバイダ装置２０５がＩＰｖ６拡張ヘッダ情報を抽出することにしており、ユーザがコンテンツサービスプロバイダ装置２０５との契約を行う必要がないからである。
【００６４】
＜第１の実施例の変形可能性＞
【００６５】
以上説明した第１の実施例ではＩＰｖ６拡張ヘッダ情報として、ユーザの性別、職種および年齢を使用したが、これらに限られるものではない。たとえば、ＩＰｖ６拡張ヘッダ情報として、住所、出身学校等の地域情報や、ユーザの勤務する会社、部門、役職等の企業内情報や、大学等の学校の学部学科、研究室等のキャンパス情報、あるいは健康に関する情報の一部または全部を使用することができる。これにより、それぞれのネットワークあるいはコンテンツサービスプロバイダでユーザ情報を適切に使用したネットワーク層（Ｌａｙｅｒ３）のアクセス制御を行うことができる。
【００６６】
なお、ＩＰｖ６拡張ヘッダ情報の構成を変更することで、図１５に示したＩＰｖ６拡張ヘッダ２７２のユーザ情報記載欄２８３のビット長が変わる場合がある。この場合には、「拡張ヘッダ長」欄２８２でその長さを適宜変更すればよい。また、第１の実施例ではコンテンツサービスプロバイダ装置２０５を１つだけ示したが、これが、たとえば全世界に幾つも存在し、それぞれが取り扱うユーザ情報の種類が幾種類かに分かれる場合が存在し得る。このような場合には、ユーザ情報記載欄２８３の先頭の予め定めた固定長に、ユーザ情報を取り扱うタイプの何れに相当するかを示す識別情報を記載させるようにしてもよい。たとえば本実施例のようにユーザの性別、職種および年齢をこの順に１０進数で合計５桁で表わす場合にはＡタイプとし、住所、地域情報、企業内情報、キャンパス情報および健康に関する情報を所定のビット数で表わす場合にはＢタイプとする。
【実施例２】
【００６７】
図１６は、本発明の第２の実施例のコンテンツ選別システムの構成を表わしたものである。このコンテンツ選別システム４００では、学校内のたとえば図書室４０１に敷設された回線４０２が校内ネットワーク管理部門の管理する校内ネットワーク管理部門装置４０３を介してキャンパスネットワーク４０４に接続されるようになっている。キャンパスネットワーク４０４には一例として各種サイト上でのコンテンツ情報を提供するための理学部サイト運営部門が管理する理学部サイト運営部門装置４０５が接続されている。
【００６８】
図書室４０１に引き込まれた回線４０２は、図示しない回線終端装置およびルータを介して学校内ＬＡＮを構成する学生Ｃの使用する第１のユーザ端末４１１と学生Ｄの使用する第２のユーザ端末４１２に接続されている。ここで、学生Ｃは理学部の学生であり、学生Ｄは工学部の学生であるとする。第１および第２のユーザ端末４１１、４１２は、それぞれ図示しないＣＰＵと、ＣＰＵの実行する制御プログラムを格納した同じく図示しないメモリを備えた情報処理装置であり、図書室４０１に常設されているものであってもよいし、各学生Ｃ、Ｄが個人的に所持しているものであってもよい。
【００６９】
これら第１および第２のユーザ端末４１１、４１２は、それぞれログイン専用ツール４１３、４１４を前記した制御プログラムの一部として組み込んでいる。したがって、学生Ｃはログイン専用ツール４１３を用いて校内ネットワーク管理部門装置４０３から提供された専用のパスワードと学生番号を第１のユーザ端末４１１に入力することで、キャンパスネットワーク４０４に接続することができる。学生Ｄもログイン専用ツール４１４を用いて校内ネットワーク管理部門装置４０３から提供された専用のパスワードと学生番号を第２のユーザ端末４１４に入力することで、キャンパスネットワーク４０４に接続することができる。ログイン専用ツール４１３、４１４等のログイン専用ツールを使用しないと、何人もキャンパスネットワーク４０４に接続できない。
【００７０】
校内ネットワーク管理部門装置４０３は、第１あるいは第２のユーザ端末４１１、４１２と同様に、図示しないＣＰＵと、このＣＰＵの実行する制御プログラムを格納した同じく図示しないメモリとを備えた情報処理装置である。校内ネットワーク管理部門装置４０３は、図示しないパケット送受信の制御のための通信制御部等の回路部分の他に、ユーザである各学生のアクセスに使用する学生アクセステーブル４２１、学生情報を格納した学生情報テーブル４２２、ＩＰｖ６拡張ヘッダを作成するＩＰｖ６拡張ヘッダ作成部４２３、ＩＰｖ６アドレスと学生情報を対応付けたＩＰｖ６拡張ヘッダテーブル４２４およびＩＰｖ６拡張ヘッダをＩＰｖ６パケットに追加するＩＰｖ６拡張ヘッダ追加部４２５を備えている。
【００７１】
また、理学部サイト運営部門装置４０５も、図示しないＣＰＵと、このＣＰＵの実行する制御プログラムを格納した同じく図示しないメモリとを備えた情報処理装置である。理学部サイト運営部門装置４０５は、図示しないパケット送受信のための通信制御部等の回路部分の他に、ＩＰｖ６拡張ヘッダの解析を行うＩＰｖ６拡張ヘッダ解析部４３１と、ＩＰｖ６拡張ヘッダの制御を行うＩＰｖ６拡張ヘッダ制御部４３２と、このＩＰｖ６拡張ヘッダ制御部４３２に接続された理学部専用サイト４３３および部外共通サイト４３４を配置している。
【００７２】
図１７は、所定の時点における学生アクセステーブルの記録内容を示したものである。図１６に示した第１のユーザ端末４１１から学生Ｃが所定の時点でログインし、第２のユーザ端末４１２から学生Ｄがこの後の他の時点でログインしたものとする。学生アクセステーブル４２１には、これら各学生Ｃ、ＤのＩＰｖ６アドレスが記録される。ここで、一方の学生番号「１２３４５６」は、学生Ｃの学生番号であるものとし、他方の学生番号「７８９０１２」は、学生Ｄの学生番号であるものとする。学生アクセステーブル４２１には各学生Ｃ、Ｄの現在までのアクセス時間も記録されている。
【００７３】
図１８は、第２の実施例における学生情報テーブルの内容を表わしたものである。学生情報テーブル４２２には、各学生Ｃ、Ｄが校内ネットワーク管理部門装置４０３を管理する校内ネットワーク管理部門あるいは学校と契約を行った際の契約情報が格納されている。具体的には、学生Ｃ、Ｄの学生番号、パスワード、生年月日、学年、学部、学科である。
【００７４】
図１９は、第２の実施例におけるＩＰｖ６拡張ヘッダテーブルの内容を表わしたものである。図１６に示したＩＰｖ６拡張ヘッダ作成部４２３は、図１７に示した学生アクセステーブル４２１と図１８に示した学生情報テーブル４２２を用いて、ＩＰｖ６拡張ヘッダテーブル４２４を作成する。すなわち、学生アクセステーブル４２１から「学生番号」と「ＩＰｖ６アドレス」を学生ごとに取り出し、学生情報テーブル４２２から「学生番号」の一致する学生の「学年」、「学部」、「学科」を「ＩＰｖ６拡張ヘッダ情報」として抽出して「ＩＰｖ６拡張ヘッダ情報」に追加する。
【００７５】
このような第２の実施例のコンテンツ選別システム４００で校内ネットワーク管理部門装置４０３は、学生Ｃが第１のユーザ端末４１１からログインすることで、その学生ＣのＩＰｖ６アドレスを学生アクセステーブル４２１に記録する（図１７参照）。また、学生Ｃの学生情報を学生情報テーブル４２２に格納する（図１８参照）。更にＩＰｖ６拡張ヘッダ作成部４２３は、学生アクセステーブル４２１の学生ＣのＩＰｖ６アドレスと学生情報テーブル４２２の学生情報とを用いて、学生Ｃに関するＩＰｖ６拡張ヘッダテーブル４２４を作成する（図１９参照）。
【００７６】
また、校内ネットワーク管理部門装置４０３は、学生Ｄが第２のユーザ端末４１２からログインすることで、その学生ＤのＩＰｖ６アドレスを学生アクセステーブル４２１に記録する（図１７参照）。また、学生Ｄの学生情報を学生情報テーブル４２２に格納する（図１８参照）。更にＩＰｖ６拡張ヘッダ作成部４２３は、学生アクセステーブル４２１の学生ＤのＩＰｖ６アドレスと学生情報テーブル４２２の学生情報とを用いて、学生Ｄに関するＩＰｖ６拡張ヘッダテーブル４２４を作成することになる（図１９参照）。
【００７７】
理学部の学生である学生Ｃが理学部サイト運営部門装置４０５の理学部専用サイト４３３にアクセスする場合を次に説明する。第１のユーザ端末４１１は学生Ｃ用データ４４１を組み込んだコンテンツ情報取得のためのＩＰｖ６パケット４４２を生成し、これを第１のユーザ端末４１１の図示しない通信制御部から、理学部サイト運営部門装置４０５を宛先として校内ネットワーク管理部門装置４０３に送出する。校内ネットワーク管理部門装置４０３では、第１の実施例の場合と同様にＩＰｖ６拡張ヘッダ追加部４２５がＩＰｖ６拡張ヘッダをＩＰｖ６パケットに追加する。そして、校内ネットワーク管理部門装置４０３の図示しない制御部から学生Ｃ用データ４４１にＩＰｖ６拡張ヘッダ情報４５１を追加したＩＰｖ６パケット４５２（図１６）を理学部サイト運営部門装置４０５に送信する。
【００７８】
理学部サイト運営部門装置４０５では、ＩＰｖ６拡張ヘッダ解析部４３１が校内ネットワーク管理部門装置４０３から送られてきたＩＰｖ６拡張ヘッダ４５１の解析を行う。ＩＰｖ６拡張ヘッダ制御部４３２は、ＩＰｖ６拡張ヘッダ解析部４３１で解析された学生情報を参照し、学生Ｃが理学部の学生であるので、理学部専用サイト４３３へのアクセス制御を行う。学生Ｃが理学部サイト運営部門装置４０５の部外共通サイト４３４にアクセスした場合にも、学外の学生ではないという予め定めた条件を満たしている限り、同様に部外共通サイト４３４へのアクセスが許可される。このようにして学生Ｃは理学部専用サイト４３３の閲覧が許可され、部外共通サイト４３４の閲覧も原則として許可される。ＩＰｖ６拡張ヘッダ解析部４３１はＩＰｖ６拡張ヘッダの解析をネットワーク層としてのレイヤ３で行う。このため、ネットワーク層（レイヤ３）の装置としてのルータやレイヤ３スイッチが理学部専用サイト４３３や部外共通サイト４３４に対するアクセス制限を行う。
【００７９】
理学部サイト運営部門装置４０５では、学生Ｃが閲覧を許可された結果として得られた学生Ｃ用のコンテンツ情報４６１を組み込んだＩＰｖ６パケット４６２を作成する。そして、このＩＰｖ６パケット４６２を校内ネットワーク管理部門装置４０３を介して図書室４０１の第１のユーザ端末４１１に送信する。この結果、学生Ｃは第１のユーザ端末４１１で理学部専用サイト４３３から送られてきたコンテンツを閲覧することができる。学生Ｃが理学部サイト運営部門装置４０５の部外共通サイト４３４にアクセスした場合にも、原則としてその閲覧が可能になる。
【００８０】
次に、工学部の学生である学生Ｄが理学部サイト運営部門装置４０５の理学部専用サイト４３３にアクセスする場合を次に説明する。第２のユーザ端末４１２は学生Ｄ用データ４４３を組み込んだコンテンツ情報取得のためのＩＰｖ６パケット４４４を生成し、これを第２のユーザ端末４１２の図示しない通信制御部から、理学部サイト運営部門装置４０５を宛先として校内ネットワーク管理部門装置４０３に送出する。校内ネットワーク管理部門装置４０３では、第１の実施例の場合と同様にＩＰｖ６拡張ヘッダ追加部４２５がＩＰｖ６拡張ヘッダをＩＰｖ６パケットに追加する。そして、校内ネットワーク管理部門装置４０３の図示しない制御部から学生Ｄ用データ４４３にＩＰｖ６拡張ヘッダ情報４５３を追加したＩＰｖ６パケット４５４（図１６）を理学部サイト運営部門装置４０５に送信する。
【００８１】
理学部サイト運営部門装置４０５では、ＩＰｖ６拡張ヘッダ解析部４３１が校内ネットワーク管理部門装置４０３から送られてきたＩＰｖ６拡張ヘッダ４５３の解析を行う。ＩＰｖ６拡張ヘッダ制御部４３２は、ＩＰｖ６拡張ヘッダ解析部４３１で解析された学生情報を参照し、学生Ｄが工学部の学生であるので、理学部専用サイト４３３へのアクセスを拒否する。学生Ｄが理学部サイト運営部門装置４０５の部外共通サイト４３４にアクセスした場合には、学外の学生ではないという予め定めた条件を満たしている限り、部外共通サイト４３４へのアクセスが許可される。このようにして学生Ｄは理学部専用サイト４３３の閲覧が拒否されるが、部外共通サイト４３４の閲覧は原則として許可される。
【００８２】
理学部サイト運営部門装置４０５では、学生Ｄが部外共通サイト４３４の閲覧を許可された場合、学生Ｄが閲覧を許可された結果として得られた学生Ｄ用のコンテンツ情報４６３を組み込んだＩＰｖ６パケット４６４を作成する。そして、このＩＰｖ６パケット４６４を校内ネットワーク管理部門装置４０３を介して図書室４０１の第２のユーザ端末４１２に送信する。この結果、学生Ｄは第２のユーザ端末４１２で部外共通サイト４３４にアクセスした場合には、原則としてその閲覧が可能になる。学生Ｄが理学部専用サイト４３３にアクセスした場合には、「正当な権限がないアクセスなので、閲覧が拒否されました。」等のアクセス拒否を示すデータを理学部サイト運営部門装置４０５から受け取ることになり、理学部専用サイト４３３へのアクセスは許されない。もちろん、学生Ｄが図示しない工学部サイト運営部門の管理する工学部サイト運営部門装置にアクセスした場合、自分の学部としての工学部専用サイトの閲覧が可能になる。
【００８３】
この第２の実施例における図書室４０１と校内ネットワーク管理部門装置４０３および理学部サイト運営部門装置４０５の間の処理の詳細は、第１の実施例の図７に示したユーザ宅２０１とインターネットサービスプロバイダ装置２０３およびコンテンツサービスプロバイダ装置２０５の間の処理を示した図１１〜図１４を適宜読み替えることができる。そこでこれらの説明を省略する。
【００８４】
図２０は、第２の実施例で使用するＩＰｖ６拡張ヘッダ情報を組み込んだＩＰｖ６パケットの一例を示したものである。図１６に示したＩＰｖ６拡張ヘッダ情報４５１、４５３を組み込んだＩＰｖ６パケット４５２、４５４は、ＩＰｖ６ヘッダ４７１と、これに続くＩＰｖ６拡張ヘッダ４７２と、ＵＤＰまたはＴＣＰヘッダ４７３と、これに続くアプリケーションデータ４７４で構成されている。ＩＰｖ６拡張ヘッダ４７２には、ＩＰｖ６ヘッダ４７１に続いて拡張ヘッダが存在することを示す「次ヘッダ」欄４８１と、拡張ヘッダ長を示す「拡張ヘッダ長」欄４８２が存在し、その後に「学年」、「学部」および「学科」を順に表わすユーザ情報記載欄４８３を組み込める構成となっている。したがって、たとえば「学年」に１０進数で１桁の数字を割り当てて、学年不明「０」からの学年を指定可能にすると共に、「学部」に１０進数で１桁（または２桁）の数字を割り当てて、「学科」にたとえば不明「０００」等の１０進数で３桁の数字を割り当てている。
【００８５】
以上説明したように、第２の実施例によれば次のような効果を奏することができる。
【００８６】
まず、第１の実施例における第１の効果を得ることができるだけでなく、ユーザが自己の学部や学科に適したコンテンツ情報を取得することができるという第２の効果がある。また、学校が学生に有益なコンテンツ情報を用意することで、優秀な学生が集まり、学校経営の収益が期待できるという第３の効果がある。また、学生が個々の学部サイトとの契約を交わす手間を省いてこれを活用することができるという第４の効果がある。
【００８７】
以上、実施例ではユーザがインターネット上のコンテンツを利用する場合と、学生が学校の用意したサイトを利用する場合について説明したが、本発明はこれらの利用態様に限定されるものではなく、各種のコンテンツやサイトを利用者自身の情報を参照して選別し利用するすべての場合に適用することができる。
【図面の簡単な説明】
【００８８】
【図１】本発明のパケット信号取次装置のクレーム対応図である。
【図２】本発明のパケット信号取次方法のクレーム対応図である。
【図３】本発明のパケット信号取次プログラムのクレーム対応図である。
【図４】本発明の情報選別システムのクレーム対応図である。
【図５】本発明の情報選別方法のクレーム対応図である。
【図６】本発明の実施の形態によるコンテンツ選別システムのシステム構成図である。
【図７】本発明の第１の実施例のコンテンツ選別システムのシステム構成図である。
【図８】第１の実施例で所定の時点におけるユーザアクセステーブルの記録内容を示した説明図である。
【図９】第１の実施例におけるユーザ契約情報テーブルの内容を表わした説明図である。
【図１０】第１の実施例におけるＩＰｖ６拡張ヘッダテーブルの内容を表わした説明図である。
【図１１】第１の実施例でユーザ端末がコンテンツ情報を取得する際のコンテンツサービスプロバイダ装置へのアクセス処理の様子を表わした流れ図である。
【図１２】第１の実施例でインターネットサービスプロバイダ装置のコンテンツサービスプロバイダ装置へのコンテンツ情報要求処理の様子を表わした流れ図である。
【図１３】第１の実施例でコンテンツサービスプロバイダ装置によるインターネットサービスプロバイダ装置からのコンテンツ情報取得要求に対する処理の様子を表わした流れ図である。
【図１４】第１の実施例でＩＰｖ６拡張ヘッダテーブルに対する情報の格納処理を具体的に表わした流れ図である。
【図１５】第１の実施例で使用するＩＰｖ６拡張ヘッダ情報を組み込んだＩＰｖ６パケットの構成図である。
【図１６】本発明の第２の実施例のコンテンツ選別システムのシステム構成図である。
【図１７】第２の実施例で所定の時点における学生アクセステーブルの記録内容を示した説明図である。
【図１８】第２の実施例における学生情報テーブルの内容を表わした説明図である。
【図１９】第２の実施例におけるＩＰｖ６拡張ヘッダテーブルの内容を表わした説明図である。
【図２０】第２の実施例で使用するＩＰｖ６拡張ヘッダ情報を組み込んだＩＰｖ６パケットの構成図である。
【符号の説明】
【００８９】
１０、４３  パケット信号取次装置
１１  パケット信号受信手段
１２  情報選別用ユーザ情報格納手段
１３  ユーザ情報組み込み手段
１４  パケット信号送信手段
２０  パケット信号取次方法
２１、５１  パケット信号受信ステップ
２２、５２  情報選別用ユーザ情報格納ステップ
２３、５３  ユーザ情報組み込みステップ
２４、５４  パケット信号送信ステップ
３０  パケット信号取次プログラム
３１  パケット信号受信処理
３２  情報選別用ユーザ情報格納処理
３３  ユーザ情報組み込み処理
３４  パケット信号送信処理
４０  情報選別システム
４１、１０１  ユーザ端末
４２  情報源
５０  情報選別方法
５５  情報選別用ユーザ情報解析ステップ
５６  データ選別ステップ
５７  データ送信ステップ
１００、２００、４００  コンテンツ選別システム
１０２、２０３  インターネットサービスプロバイダ装置
１０３、２０５  コンテンツサービスプロバイダ装置
１１１、２２２  ユーザ契約情報テーブル
１１２、２２１  ユーザアクセステーブル
１１４、２２３、４２３  ＩＰｖ６拡張ヘッダ作成部
１１５、２２４、４２４  ＩＰｖ６拡張ヘッダテーブル
１１６、２２５、４２５  ＩＰｖ６拡張ヘッダ追加部
１２５  データ展開部
１３２、２３１、４３１  ＩＰｖ６拡張ヘッダ解析部
１３３、２３２  データ格納部
２０１  ユーザ宅
２０４  インターネット
２１１、４１１  第１のユーザ端末
２１２、４１２  第２のユーザ端末
２５１、２５３、４５１、４５３  ＩＰｖ６拡張ヘッダ情報
２５２、２５４、４５２、４５４  ＩＰｖ６パケット
２７１、４７１  ＩＰｖ６ヘッダ
２７２、４７２  ＩＰｖ６拡張ヘッダ
４０１  図書室
４０３  校内ネットワーク管理部門装置
４０４  キャンパスネットワーク
４０５  理学部サイト運営部門装置
４２１  学生アクセステーブル
４２２  学生情報テーブル
４３２  ＩＰｖ６拡張ヘッダ制御部
４３３  理学部専用サイト
４３４  部外共通サイト
【図１】
2010130611.tif 000003
【図２】
2010130611.tif 000004
【図３】
2010130611.tif 000005
【図４】
2010130611.tif 000006
【図５】
2010130611.tif 000007
【図６】
2010130611.tif 000008
【図７】
2010130611.tif 000009
【図８】
2010130611.tif 000010
【図９】
2010130611.tif 000011
【図１０】
2010130611.tif 000012
【図１１】
2010130611.tif 000013
【図１２】
2010130611.tif 000014
【図１３】
2010130611.tif 000015
【図１４】
2010130611.tif 000016
【図１５】
2010130611.tif 000017
【図１６】
2010130611.tif 000018
【図１７】
2010130611.tif 000019
【図１８】
2010130611.tif 000020
【図１９】
2010130611.tif 000021
【図２０】
2010130611.tif 000022